(57)【要約】  本発明は、全体にＵ字形の骨接合クリップ（１）に関し、前記クリップ（１）は、２つのアンカバー（２，３）と、閉形態及び開形態を呈するように構成された長手開口部（５）を含む接続バー（４）とを含み、前記クリップは、略楕円形の区画を有し、前記開口部内に収容される圧迫片（２０）を含み、前記圧迫片は、前記開口部内で廻されることで、前記開口部を閉形態から少なくとも一つの前記開形態、及びその逆に変化させる。
2014534869.tif 000002
【特許請求の範囲】
【請求項１】
全体にＵ字形の骨接合クリップ（１）であって、
Ｕ字形のうちの２つの垂直バーに相当し、骨部分（３０，４０）に挿入されるように意図された先端部（２ａ，３ａ）、及び基端部（２ｃ，３ｃ）を含む、少なくとも２つのアンカバー（２，３）と、
Ｕ字形のうちの水平バーに相当し、２つのアンカバーの各基端部を共に連結する少なくとも一つの接続バー（４）であって、端部において共に結合される２つの対向する側面壁（６，７）に当該接続バーを分割する少なくとも一つの長手開口部（５）を含み、前記長手開口部（５）は、接続バーを含む平面Ｐであって、Ｕ字形クリップを含む平面に垂直な平面Ｐにおいて変形可能であり、２つのアンカバーが互いに略平行で、且つ、前記２つの側面壁が互いに接近することで、２つのアンカバーの２つの基端部の間の距離がＬ１の値を有する閉形態と、前記２つの側面壁の中央部が前記開口部の両側にそれぞれ互いから離れることで、２つのアンカバーの２つの基端部の間の距離がＬ１よりも確実に小さい値Ｌ２を有する、少なくとも一つの開形態と、を呈するように構成される、少なくとも一つの接続バー（４）と、を含み、
前記クリップは、能動部（２１ａ，２１ｂ）と呼ばれる少なくとも一つの部位を有する圧迫片（２０）を更に含み、前記圧迫片の平面Ａにおける能動部（２１ａ，２１ｂ）の断面は全体的に楕円形状であり、前記圧迫片が前記開口部に収容されると、圧迫片の平面Ａが前記平面Ｐと一致すると共に、能動部の外面の少なくとも一部が、接続バーの前記２つの側面壁の内面の少なくとも一部と接触し、前記圧迫片は、前記能動部の前記楕円形状の中心を通り、且つ前記平面Ｐと垂直な軸Ｂを中心に廻されることで、前記開口部を閉形態から少なくとも一つのいわゆる開形態まで、又はその逆に動かすように構成される、クリップ。
【請求項２】
前記平面Ｐ内での前記圧迫片の回転を案内する案内手段（６ｂ，７ｂ，２２）を含む、請求項１に記載のクリップ（１）。
【請求項３】
案内手段は、内側と外側とで係合して、前記平面Ｐにおける前記圧迫片の回転を案内するように構成された少なくとも一つの溝（２２；６ｃ，７ｃ）及び一つのビード（６ｂ，７ｂ；２４）を含み、前記溝と前記ビードのうちの一方は、前記側面壁の内面に設けられ、前記溝と前記ビードのうちの他方は、前記圧迫片の前記能動部の前記外面に設けられる、請求項２に記載のクリップ（１）。
【請求項４】
各種異なる回転角度で前記圧迫片をブロックするブロック手段（２５，６ｄ，７ｄ）を含む、請求項１乃至３のいずれか一つに記載のクリップ（１）。
【請求項５】
前記ブロック手段は、前記能動部の外周に分散された複数のレリーフ（２５）であって、前記側面壁の背面に設けられた一つ以上の相補形レリーフ（６ｄ，７ｄ）に連続的と係合するように構成された複数のレリーフ（２５）を含み、相補形レリーフ内への一つ以上のレリーフの係合により、前記回転する圧迫片を所定の回転角度でブロックする、請求項４に記載のクリップ（１）。
【請求項６】
前記アンカバーを位置ずれさせるずらし手段（６ｃ，６１，６２，７ｃ，７１，７２，２６，２７）であって、前記開口部の開形態において、前記アンカバーの各先端領域のうちの片側だけを互いに遠ざける、又は互いに近付けるように配置されたずらし手段を含む、請求項１乃至５のいずれか一つに記載のクリップ（１）。
【請求項７】
前記ずらし手段は、各側面壁に形成されて、端部によって共に結合される基端区画（６１，７１）及び先端区画（６２，７２）である２つの長手区画（６１，６２，７１，７２）に前記壁を分割する長穴（６ｃ，７ｃ）を含み、前記基端区画及び先端区画は、それぞれ他方の区画とは独立して平面Ｐ内で変形可能である、請求項６に記載のクリップ（１）。
【請求項８】
前記圧迫片の前記能動部（２１ａ）の前記外面の前記少なくとも一部は、前記側面壁の前記基端区画（６１，７１）の内面とのみ接触し、前記２つのアンカバーの前記先端領域は、前記開口部が開形態にあるときに互いから遠ざかる、請求項７に記載のクリップ（１）。
【請求項９】
前記圧迫片の前記能動部（２１ｂ）の前記外面の前記少なくとも一部は、前記側面壁の前記先端区画（６２，７２）の内面とのみ接触し、前記２つのアンカバーの前記先端領域は、前記開口部が開形態にあるときに互いに接近する、請求項７に記載のクリップ（１）。
【請求項１０】
前記２つのアンカバーの前記先端領域に、前記骨部分（３０，４０）への前記アンカバーの固定を強化するように形成された留めノッチ（２ｄ，３ｄ）が設けられる、請求項１乃至９に記載のクリップ（１）。
【請求項１１】
前記圧迫片の前記基端面（２０ａ）は、前記圧迫片に回転動作を付与する器具と協働するように構成された表面（２３）を含む、請求項１乃至１０のいずれか一つに記載のクリップ（１）。
【発明の詳細な説明】
【技術分野】
【０００１】
本発明は、例えば、骨切」断、２つの骨片間の関節固定、又は、骨への軟組織の固定に利用される骨接合クリップに関する。
【背景技術】
【０００２】
骨を修復するための外科用クリップがいくつか存在する。これらのクリップには、全体的にＵ字形をしたものがあり、その垂直なＵ字状のバーの先端部は、例えば、２つの別の骨片を互いに接近させるために、その２つの骨片に挿入されることが意図されている。
【０００３】
本願において、インプラントやクリップ等の装置の先端部は、外科医の手から最も遠くにある端部を意味するものとして理解されたい、また、基端部は、外科医の手に最も近い端部を意味することを理解されたい。同様に、本願において、「先端方向」は、クリップの「嵌入方向」を意味し、「基端方向」は、嵌入方向と逆の方向を意味するものと理解されたい。
【０００４】
一般に、Ｕ字形クリップを導入する前に、接合する予定の２つの骨片にそれぞれ一つずつ、２つの穴が穿孔され、その後、クリップは、各垂直バーを穴に挿入することで、嵌入される。クリップが嵌入された後では、２つの垂直バーによって加えられる圧迫状態を調整することが極めて困難であり、この圧迫が弱すぎると、２つの骨片を互いに近付けることが最適に行われない。同様に、圧迫が強すぎる場合に、その圧力を緩和することができない。
【０００５】
したがって、全体がＵ字形のクリップにおいて、Ｕ字形を構成する２つの垂直バーによって、例えば、互いに接近させるべき２つの骨片に加えられる圧迫状態の調整、特に、クリップが嵌入された後、すなわち、Ｕ字形を構成する２つの垂直バーが既に骨片に挿入された仮導入状態での調整を可能にすることが求められている。
【発明の概要】
【発明が解決しようとする課題】
【０００６】
本発明は、全体がＵ字形のクリップであって、Ｕ字形を構成する２つの垂直バーによって加えられる圧迫力を、クリップの嵌入後に増減できるＵ字形クリップを提供することによって、前述の要望を満たすことを目的とする。
【課題を解決するための手段】
【０００７】
本発明は、全体がＵ字形の骨接合クリップに関し、本骨接合クリップは、
Ｕ字形のうちの２つの垂直バーに相当し、骨部分に挿入されるべき先端部、及び基端部をそれぞれ含む、少なくとも２つのアンカバーと、
Ｕ字形のうちの水平バーに相当し、２つのアンカバーの各基端部を共に連結する少なくとも一つの接続バーであって、端部において互いに結合される２つの対向する側面壁に接続バーを分割する少なくとも一つの長手開口部を含み、前記長手開口部は、接続バーを含む平面Ｐであって、Ｕ字形クリップを含む平面と垂直な平面Ｐにおいて変形可能であり、この変形により、開口部が、２つのアンカバーが互いに略平行で、且つ、前記２つの側面壁が互いに接近することで、２つのアンカバーの２つの基端部の間の距離が値Ｌ１を有する閉形態と、前記２つの側面壁の中央部が、前記開口部の両側にそれぞれ互いから離れることで、２つのアンカバーの２つの基端部の間の距離が、Ｌ１より確実に小さい値Ｌ２を有する、少なくとも一つの開形態と、を呈するように構成される、接続バーと、
を含む。
【０００８】
本骨接合クリップにおいて、
前記クリップは、能動部と呼ばれる少なくとも一つの部位を有する圧迫片を更に含み、前記部位の断面は、圧迫片の平面Ａにおいて全体的に楕円形状であり、前記圧迫片が前記開口部に収容されると、平面Ａが前記平面Ｐと一致すると共に、能動部の外面の少なくとも一部が、接続バーの前記２つの側面壁の内面の少なくとも一部と接触し、前記圧迫片は、前記能動部の前記楕円形状の中心を通り、且つ前記平面Ｐと垂直な軸Ｂを中心に廻されることで、前記開口部を閉形態から少なくとも一つのいわゆる開形態に、又はその逆に動かすように構成される。
【０００９】
したがって、本発明に係るクリップにおいて、２つのアンカバーの２つの基端部の間の距離は、接続バーに形成された開口部に収容された圧迫片の回転によって、Ｌ１とＬ２の間で変化し得る。実際、圧迫片が平面Ａにおいて全体的に楕円形状を有することにより、平面Ｐにおける圧迫片の回転が、側面壁を互いに離れる方向に動かして側面壁を変形させ、その結果、接続バーに形成された開口部の幅が変化して、２つのアンカバーの２つの基端部を互いに接近させる。
【００１０】
本願の目的において、「楕円形状」は、楕円形、長円形、長楕円形、若しくは卵型形状、又は、より一般的には、回転軸を有し、且つ、半径が一定でない、円盤又は円以外の楕円に分類される各種の形状を意味する。
【００１１】
圧迫片は前記開口部に収容されるため、アンカバーによって互いに近付けることを意図した骨部分又は他の組織内に、２つのアンカバーが挿入された状態であっても、圧迫片は、使用者、例えば、外科医の手の届く範囲に残る。したがって、外科医は、必要に応じて適切な器具を利用して、前記圧迫片を回転させることで、２つのアンカバーの２つの基端部の間の距離を変えることができる。
【００１２】
２つのアンカバーの２つの基端部の間の距離を変えることによって、２つのアンカバー間の距離も変化し、その結果、アンカバーの先端部が挿入された骨部分又は組織内に、その２つのアンカバーによって付与される圧迫力が変化する。
【００１３】
本発明に係るクリップは、手術後の正常な生理的位置に骨部分を維持することができ、且つ、骨固定期間中の圧迫力を維持することができる。
【００１４】
例えば、本発明に係る一つ以上のクリップは、強直母趾の処置に利用することができ、関節面の回復後、その関節面は、固定期間中、本発明に係る一つ以上のクリップを利用して密着した状態に維持される。
【００１５】
本発明に係るクリップを利用して、足、手、若しくは任意の他の部位の骨片を互いに近付けること、又は、関節に対して関節固定術を施すことができる。本発明に係るクリップは、２つの隣接した椎骨を互いに接近させることにも利用できる。
【００１６】
一実施形態において、本発明に係るクリップは、前記平面Ｐにおける前記圧迫片の回転を案内する手段を含む。例えば、案内手段は、内側と外側とで係合して、前記平面Ｐにおける前記圧迫片の回転を案内するように構成された少なくとも一つの溝及び一つのビードを含み、前記溝と前記ビードのうちの一方は、前記側面壁の内面に配置され、前記溝と前記ビードのうちの他方は、前記圧迫片の前記能動部の前記外面に配置される。例えば、各側面壁の内面が、平面Ｐに配置される溝を含み、圧迫片の能動部の外面が、同様に平面Ｐに配置される外周ビードを含んでよく、前記ビードは、２つの各側面壁の溝に嵌め込まれる。これにより、圧迫片が軸Ｂを中心に回転するときに、ビードが２つの溝に嵌め込まれた状態に残ることで、圧迫片の能動部が平面Ｐ内に確実に維持されて、２つの側面壁は、互いに離れるように、又は互いに近づくように動く。他の実施形態において、各側面壁の内面が、平面Ｐに配置されるビードを含み、圧迫片の能動部の外面が、同様に平面Ｐに配置される外周溝を含んでもよく、この場合、外周溝が、２つの各側面壁それぞれのビードに嵌め込まれる。
【００１７】
一実施形態において、本発明に係るクリップは、前記圧迫片を各種異なる回転角度でブロックする手段を含む。例えば、ブロック手段は、前記能動部の外周に分散された複数のレリーフを含み、前記レリーフは、前記側面壁の内面に設けられた一つ以上の相補形レリーフと連続的に係合するように構成され、相補形レリーフ内への一つ以上のレリーフの係合により、所定の回転角度において圧迫片の前記回転を阻止する。圧迫片の能動部は全体的に楕円形であるため、この係合により、開口部の所望の幅を選択でき、２つのアンカバーの基端部の間を所望の距離に調整し、ひいては、これら２つのアンカバーが挿入された骨部分又は他の組織に対してアンカバーから付与される圧迫力を調整することができる。実際に、能動部の外周に分散された複数のレリーフは、開口部が取り得る複数の幅の選択を可能にするが、これは、相補形レリーフ内へのレリーフの係合がブロックされることで実現する。
【００１８】
一実施形態において、本発明に係るクリップは、前記アンカバーを位置ずれさせる、ずらし手段を含み、このずらし手段は、前記開口部の開形態において、前記アンカバーの各先端領域のうちの片側だけを違いに遠ざける、又は近付けるように配置される。例えば、前記ずらし手段は、各側面壁に形成されて、端部において互いに結合される基端区画と先端区画の２つの長手区画に側面壁を分離する長穴を含み、前記基端区画及び先端区画は、それぞれ他方の区画と独立して平面Ｐ内で変形することができる。
【００１９】
したがって、本発明の一実施形態において、前記圧迫片の前記能動部の前記外面の前記少なくとも一部は、前記側面壁の前記基端区画の内面のみと接触し、前記２つのアンカバーの前記先端領域は、前記開口が開形態にあるときに、互いから遠ざかる。
【００２０】
本発明の他の実施形態において、前記圧迫片の前記能動部の前記外面の前記少なくとも一部は、前記側面壁の前記先端区画の内面のみと接触し、前記２つのアンカバーの前記先端領域は、前記開口部が開形態にあるときに、互いに接近する。本実施形態により、アンカバーによって骨部分又は他の組織に付与される圧迫力を更に強くして、骨部分又は組織をより近付けることができる。
【００２１】
本発明の一実施形態において、前記２つのアンカバーの先端領域には、前記アンカバーの骨部分への固定をより強化するための留めノッチが設けられる。
【００２２】
本発明の一実施形態において、前記圧迫片の基端面は、圧迫片に回転動作を与えるための器具と協働するように適合された表面を含む。例えば、前記表面は、六角形の輪郭を有する窪みを有し、前記窪みは、収容された開口部内で圧迫片を回転させることが可能な、対応する輪郭のキーを収容するように適合される。
【００２３】
本発明の利点は、下記の説明及び付属の図面からより明瞭になるであろう。
【図面の簡単な説明】
【００２４】
【図１】本発明に係るクリップの展開斜視図である。
【図２】圧迫片が開口部に収容された、図１のクリップの斜視図である。
【図３】開口部が閉形態にある、図２のクリップの上面図である。
【図４】開口部が開形態にある、図２のクリップの上面図である。
【図５】本発明に係るクリップの第１の代替実施形態を示す展開斜視図である。
【図６】開口部が閉形態にある、本発明に係るクリップの第２の代替実施形態を示す上面図である。
【図７】開口部がブロックされた開形態にある、図６のクリップの上面図である。
【図８】開口部が開形態にあり、２つの骨部分を互いに接近させるように埋め込まれた状態で示す、図１のクリップの断面図である。
【図９Ａ】図５と同様のクリップのＵ字形部分に利用でき、開口部の開形態においてアンカバーの先端領域を互いに近付ける圧迫片を示す斜視断面図である。
【図９Ｂ】判り易くするために圧迫片を図示しない状態で示す、図９Ａの圧迫片と共に利用できるクリップのＵ字形部分の、開口部が開形態にある斜視図である。
【図１０Ａ】図５と同様のクリップのＵ字形部分に利用でき、開口部の開形態においてアンカバーの先端領域を互いに遠ざける圧迫片を示す斜視断面図である。
【図１０Ｂ】判り易くするために圧迫片を図示しない状態で示す、図１０Ａの圧迫片に利用できるクリップのＵ字形部分の、開口部が開形態にある斜視図である。
【発明を実施するための形態】
【００２５】
図１及び図２を参照すると、例えば、２つの骨片を互いに接近させる（図８を参照）ために用いられる、本発明に係るクリップ１が示されている。骨片は、互いに接近させる足若しくは手の骨片、又は２つの隣接する椎骨であってよい。クリップ１は、全体的にＵ字形であり、概して、クリップ１の平面とも呼ばれるＵ字形平面内に構成される。
【００２６】
クリップ１は、Ｕ字形のうちの垂直バーに相当する２つのアンカバー（２，３）を含む。各アンカバー（２，３）は、骨片内に挿入されることが意図される先端部（２ａ，３ａ）を含む。図に示すように、アンカバー（２，３）の先端部（２ａ，３ａ）は、アンカバー（２，３）の骨片への挿入を容易にする尖頭部（２ｂ，３ｂ）を有する。各アンカバー（２，３）は、先端部（２ａ，３ａ）の反対側に位置する基端部（２ｃ，３ｃ）も有する。
【００２７】
また、各アンカバー（２，３）は、その先端領域に、複数個、図示した例では３つのノッチを有し、これらのノッチは、各バー（２，３）の骨片への固定を強化すると共に、クリップ１が接近させる骨片に挿入された後、基端方向へのクリップ１の動きを規制するように構成される。
【００２８】
クリップ１は、Ｕ字形のうちの水平バーに相当し、２つのアンカバー（２，３）の各基端部（２ｃ，３ｃ）を共に結合する接続バー４を更に含む。図から判るように、２つのアンカバー（２，３）及び接続バー４は、同一平面であるＵ字形平面内に設けられる。この平面において、アンカバー（２，３）は互いに略平行である。
【００２９】
接続バー４は、その接続バー４自体を、端部において結合される２つの対向する側面壁（６，７）に分割する長手開口部５を含み、この結合端部は、接続バー４とアンカバー（２，３）の接合ポイント（８，９）に相当する。
【００３０】
図３及び図４を参照して説明すると、側面壁（６，７）は、平面Ｐにおいて変形可能である。図８に記載した、この平面Ｐは、接続バー４を含む平面であり、Ｕ字形クリップを包含する平面に垂直である。これらの図から判るように、開口部５は、２つのアンカバー（２，３）が互いに略平行であると共に、前述した２つの側面壁（６，７）が互いに接近して、２つのアンカバー（２，３）の２つの基端部（２ｃ，３ｃ）の間の距離が値Ｌ１を有する閉形態（図３）と、前述した２つの側面壁（６，７）の中央部（６ａ，７ａ）が、開口部５の各側に互いから離れて、２つのアンカバー（２，３）の２つの基端部（２ｃ，３ｃ）の間の距離が確実にＬ１より小さい値Ｌ２を有する、少なくとも一つの開形態（図４）と、を取るように構成される。
【００３１】
図１に示すように、側面壁６の中央部６ａの内面には、ビード６ｂが設けられる。図には示してないが、側面壁７の中央部７ａの内面には、反対側の側面壁のビードと同一のビード７ｂが設けられている。
【００３２】
例えば、クリップ１の接続バー４及びアンカバー（２，３）は、ステンレス鋼、クロミウム／コバルト合金、ポリ乳酸、ポリエーテルエーテルケトン、チタニウム、及びこれらの混合物から選択される材料で作製される。
【００３３】
クリップは、断面が楕円形である円筒形状を有する小片の形の圧迫片２０を更に含み、圧迫片２０は、互いに反対側に位置する２つの楕円区画である基端面２０ａ及び先端面２０ｂ、並びにこれら２つの基端面２０ａ及び先端面２０ｂを接続する周壁２０ｃを有する。円筒部の高さは、両側の表面の寸法（幅及び長さ）よりも遥かに小さいため、圧迫片は、概ね平面Ａ（小片平面）内に含まれ、楕円区画を有する各表面の中心を通り、この圧迫片の平面Ａと垂直な回転軸Ｂを有する。図１〜図４に示した例において、圧迫片２０の周壁２０ｃには、高さの中央部に外周溝２２が設けられ、この外周溝２２は、基端外周部２１ａと先端外周部２１ｂとに周壁２０ｃを分割する。図から判るように、圧迫片２０の基端外周部２１ａ及び先端外周部２１ｂは、圧迫片の平面において、全体的に楕円形の区画を有する。圧迫片のこれらの基端外周部２１ａと先端外周部２１ｂとで、圧迫片２０の能動部（２１ａ，２１ｂ）と呼ばれる部位を構成する。この部位は、下記の説明から判るように、側面壁（６，７）の内面と協働して、開口部５を閉形態から開形態に変化させる部位として形成される。
【００３４】
図示した例において、圧迫片２０の基端面２０ａには、断面が六角形の窪み２３が設けられ、下記で説明するように、この窪み２３は、圧迫片に回転移動を付与するための相補形キーを収容するように適合される。
【００３５】
圧迫片２０は、ステンレス鋼、クロミウム／コバルト合金、ポリ乳酸、ポリエーテルエーテルケトン、チタニウム、及びこれらの混合物から選択される材料で作製できる。
【００３６】
次に、例えば、２つの骨片を互いに近付ける、クリップ１の用途について図１〜図４及び図８を参照しながら説明する。
【００３７】
クリップ１は、図２及び図３に示すような組立てられた位置で、開口部５が閉形態にある状態で外科医に提供される。この位置において、圧迫片２０は、開口部５に嵌入されており、その能動部（２１ａ，２１ｂ）は接続バー４の平面Ｐ内にあり、側面壁（６，７）の内面のビード（６ｂ，７ｂ）は、圧迫片２０の周壁の溝２２と係合している。また、開口部５のこの閉形態において、圧迫片２０の長軸は、接続バー４の長手軸に一致している。圧迫片２０の能動部（２１ａ，２１ｂ）、すなわち、外周基端部２１ａ及び外周先端部２１ｂは、側面壁（６，７）の内面と接触している。アンカバー（２，３）は、クリップ１の平面、すなわち、クリップ１によって形成されるＵ字形平面において互いに略平行である。
【００３８】
図３から判るように、開口部５の閉形態において、側面壁（６，７）は、互いに近づいた状態にあり、２つのアンカバー（２，３）の２つの基端部（２ｃ，３ｃ）の間の距離は値Ｌ１を有する。
【００３９】
骨接合を行うため、又は２つの骨片、例えば、図８に示すような第１骨片３０及び第２骨片４０を互いに接近させるために、外科医は、適切な補助器具（図示せず）を利用して、図２に示すように開口部５が閉形態にあるクリップ１を握り、互いに接近させる骨片（３０，４０）内に予め形成されている２つの穴の中に、アンカバー（２，３）の先端部（２ａ，３ａ）の尖頭部（２ｂ，３ｂ）から２つのアンカバー（２，３）を挿入することによって、クリップ１を嵌入する。
【００４０】
このようにクリップ１が挿入された後、外科医は、窪み２３に対して相補形であるキーを有する器具（図示せず）を握り、開口部５内での軸Ｂを中心とした回転を圧迫片２０に付与する。この回転中、圧迫片２０の溝２２と、側面壁（６，７）の内面のビード（６ｂ，７ｂ）とが案内手段として利用されるため、圧迫片２０が、接続バー４を含み、クリップ１の平面と垂直な平面Ｐにおいて回転することはない。また、圧迫片２０の能動部（２１ａ，２１ｂ）が、楕円形状であること、及び側面壁（６，７）と接触していることから、圧迫片２０の回転により側面壁（６，７）が変形して、図４に示すように、互いに離れる方向に動く。側面壁の中央部（６ａ，７ａ）の互いに遠ざかる動きは、アンカバー（２，３）の基端部（２ｃ，３ｃ）を互いに接近させるため、２つの基端部（２ｃ，３ｃ）の間の距離は、図４に示すように、Ｌ１よりも確実に小さい値Ｌ２になる。
【００４１】
このように、接近させるべき骨片（３０，４０）にアンカバー（２，３）が挿入された後で、圧迫片２０を回転させることによって、２つのアンカバー（２，３）から骨片（３０，４０）に付与される圧迫力を調整し、特に、その圧迫力を大きくすることができる。
【００４２】
図８に、骨片（３０，４０）に挿入されて、前述したように圧迫片２０が回転された後のクリップ１を示す。ここで、アンカバー（２，３）の２つの基端部（２ｃ，３ｃ）の間の距離はＬ２、すなわち、クリップ１の嵌入ステップにおける距離Ｌ１よりも小さい距離である。したがって、２つの骨片（３０，４０）は、圧迫片２０の回転によって互いに近づけられている。
【００４３】
図８に示した例において、２つのアンカバー（２，３）は、開口部５が開形態にあるとき、すなわち、クリップ１が骨片（３０，４０）内に嵌入されて、圧迫片２０が前述したように回転された状態にあるときにも、クリップ１の平面において互いに平行である。実際には、本例において、圧迫片２０の能動部（２１ａ，２１ｂ）が、側面壁（６，７）の高さ全体に均等に作用するため、アンカバー（２，３）の基端部（２ｃ，３ｃ）が互いに接近する動きは、骨片内で互いに接近するアンカバー（２，３）の平行移動を伴う。
【００４４】
圧迫片２０により、２つの骨片を確実に固定することができると共に、組立構造体の変位又は圧迫力の喪失を招く動きを防ぐことができる。
【００４５】
また、クリップ１が嵌入された後、クリップ１と一体のまま残る圧迫片２０の存在により、クリップの膨脹を防いで、開口部５を恒久的に開形態に維持できるため、２つの骨片（３０，４０）に対する所望の圧迫力を保持して、骨の癒合が生じるまで互いに接近した位置に骨片（３０，４０）を維持することができる。
【００４６】
また、骨片（３０，４０）に押し付けられた状態での圧迫片２０の恒久的存在により、骨片が重なり合うことを防止できる。
【００４７】
図５を参照すると、図１のクリップ１の代替実施形態が示されている。図において、圧迫片２０の回転を案内する手段である溝及びビードが、圧迫片の周壁２０ｃと接続バー４の側面壁（６，７）の内面とで入れ替わり、溝が、穴を形成する貫通溝となっている。この図５において、図１〜図４と同じ要素を表す参照番号は、そのまま維持されている。
【００４８】
したがって、圧迫片２０の周壁２０ｃに、外周ビード２４が設けられ、側面壁（６，７）の中央部（６ａ，７ａ）の内面には、長穴（６ｃ，７ｃ）がそれぞれ設けられる。外周ビード２４は、周壁２０ｃの高さの中央に配置されて、共に圧迫片２０の能動部（２１ａ，２１ｂ）を構成する、圧迫片２０の外周基端部２１ａ及び外周先端部２１ｂを画定する。
【００４９】
また、長穴６ｃは、端部において互いに結合される２つの長手区画である基端区画６１及び先端区画６２に側面壁６を分割する。基端区画６１及び先端区画６２は、下記の説明から明らかになるように、平面Ｐにおいて、他方の区画とは独立して変形することができる。同様に、長穴７ｃは、端部において互いに結合される２つの長手区画である基端区画７１及び先端区画７２に側面壁を分割し、基端区画７１及び先端区画７２は、平面Ｐにおいて、他方の区画とは独立して変形できる。
【００５０】
図５のクリップ１が組み立てられた状態にあり、圧迫片２０が開口部５内に貫入されているとき、外周ビード２４が２つの側面壁（６，７）の溝（６ｃ，７ｃ）と係合し、圧迫片２０の能動部（２１ａ，２１ｂ）が側面壁（６，７）と接触するため、外周ビード２４及び溝（６ｃ，７ｃ）は、軸Ｂを中心とした圧迫片２０の回転を案内する手段として機能し、平面Ｐ内における圧迫片２０の回転を確実に防止する。図５のクリップ１は、図１〜図４のクリップについて前述したように、２つの骨部分を互いに接近させるために利用できる。
【００５１】
図６及び図７を参照すると、図１〜図４又は図５のクリップ１の他の代替実施形態が示されている。このクリップは、異なる角度で圧迫片２０の回転を阻止する手段を更に含む。これらの図において、図１〜図４と同じ要素を表す参照番号は、そのまま維持されている。
【００５２】
本発明に係るクリップ１のこの代替実施形態において、圧迫片２０の能動部（図には外周基端部２１ａのみを図示）には、能動部２１ａの外周に沿って分散された、例えば、ノッチ２５の形式の複数のレリーフが設けられる。側面壁（６，７）の中央部（６ａ，７ａ）の内面には、例えば、突起（６ｄ，７ｄ）の形の相補形レリーフがそれぞれ設けられ、これらの突起（６ｄ，７ｄ）は、ノッチ２５のうちの一つと噛み合うように構成されて、圧迫片２０の回転を阻止する。したがって、能動部２１ａの楕円形状により、開口部５に複数の開形態を提供することができ、これらの開形態において、開口幅をそれぞれ変えることができ、より大きい開口幅は、能動部２１の長軸が接続バー４の長手軸と垂直になるときに達成される。図７に示した例において、開口部は、半開形態であり、能動部２１ａの長軸は、接続バー４の長手軸に対して約４５°の角度を形成する。
【００５３】
このため、図１〜図４のクリップ１に付与される定義によれば、図７の２つの基端部（２ｃ，３ｃ）の間の距離は、Ｌ１とＬ２の間の値Ｌ３を有する。クリップ１のこのような実施形態により、アンカバー（２，３）によって付与される、互いに接近させる骨部分に対する圧迫力は、開口部５が図６に示すような閉形態にあるときに付与される最小圧迫力と、能動部２１ａの長軸が接続バー４の長手軸と垂直になる、開口部の開形態において付与される最大圧迫力との間で調整することができる。
【００５４】
圧迫片２０を特定の回転角度でブロックすることは、外科医の要望に応じて、一時的又は恒久的に行うことができる。恒久的にすることを外科医が所望した場合、前述したようなキーが設けられた器具を利用してブロック角度を変えること、及び、圧迫片２０を解放して、異なる回転角度に圧迫片２０をピボット回転させることが可能であってよい。
【００５５】
図９Ａ〜図１０Ｂを参照すると、図５のものと同様のクリップ１の２つの代替実施形態が示されている。これらの実施得形態において、クリップ１は、開口部の開形態において、２つのアンカバーの各先端領域を片側だけ互いから遠ざける、又は互いに近付けるように構成された、アンカバーを位置ずれさせるずらし手段を更に含む。これらの図において、クリップのＵ字形部分、すなわちアンカバー及び接続バーは、アンカバー（２，３）を引っ掛けるノッチ（２ｄ，３ｄ）が存在しない点だけ図５と異なり、図５と同じ要素を表す参照番号はそのまま保持されている。
【００５６】
図９Ａを参照すると、図５の圧迫片２０の代替実施形態が示されており、この圧迫片２０のうちの、外周ビード２４より基部側に位置する部分は、開口部５の形態がいずれであっても、圧迫片２０が開口部５内に収容されたときに、接続バー４の側面壁（６，７）の内面と接触しないように寸法決めされる。特に、圧迫片２０の基端部、図９Ａに示す例ではリング２６の形式の部分は、側面壁（６，７）の基端区画（６１，７１）（図５を参照）と協働しない寸法である。したがって、リング２６は、開口部５の直径よりも小さい外径を有し、圧迫片２０の能動部を構成しないため、図９Ａの圧迫片２０の能動部は、先端外周部２１ｂに限定される。
【００５７】
したがって、図９Ａの圧迫片２０が、図５のクリップのＵ字形部分の開口部５内に収容されたときに、圧迫片２０を前述したように回転させると、図９Ｂに示すように側面壁（６，７）の先端区画（６２，７２）のみが変形する。図９Ｂには、判り易くするために圧迫片２０が示されていないが、図示した変形は、圧迫片２０の存在によって引き起こされるものである。図９Ｂから判るように、先端区画（６２，７２）の変形が、基端区画（６１，７１）の全く変形しない、又は極めて僅かしか変形しない動きと組み合わされることで、開口部５の開形態において、既に図４で見てきたように、一方で、アンカバーの基端部（２ｃ，３ｃ）、もう一方で、２つのアンカバー（２，３）の先端領域、特に、先端部（２ａ，３ａ）を互いに接近させる。したがって、本実施形態は、図９Ａ及び図９Ｂに示すように、互いに近付けるべき２つの骨部分に対して２つのアンカバー（２，３）によって付与される圧迫力を更に大きくすることができる。
【００５８】
図１０Ａを参照すると、図５の圧迫片２０の代替実施形態が示されており、本実施形態において、圧迫片２０のうちの外周ビード２４よりも先端側に位置する部分は、開口部５の形態がいずれであっても、圧迫片２０が開口部５内に収容されたときに、接続バー４の側面壁（６，７）の内面に接触しないように寸法決めされる。特に、図１０Ａに示した例においてリング２７の形式である、圧迫片２０の先端部は、側面壁（６，７）の先端区画（６２，７２）（図５を参照）と協働しない寸法である。したがって、リング２７は、開口部５の直径よりも小さい外径を有し、圧迫片２０の能動部の一部を構成しないため、図１０Ａの圧迫片２０の能動部は、基端外周部２１ａに限定される。
【００５９】
これにより、図１０Ａの圧迫片２０が図５のクリップのＵ字形部分の開口部５に収容されたときに、前述したように圧迫片２０に回転を与えると、図１０Ｂに示すように、側面壁（６，７）の基端区画（６１，７１）のみが変形する。図１０Ｂには、判り易くするために圧迫片２０が示されていないが、図示されている変形は、圧迫片２０の存在によって引き起こされるものである。この図１０Ｂから判るように、基端区画（６１，７１）の変形は、先端区画（６２，７２）の全く変形しない、又は非常に僅かしか変形しない動きと組み合わされて、開口部５の開形態において、図４に示すようにアンカバーの基端部（２ｃ，３ｃ）を互いに近付ける一方で、２つのアンカバー（２，３）の先端領域、特に先端部（２ａ，３ａ）を互いから遠ざける。このように、本実施形態は、互いに近付けるべき２つの骨部分に対して２つのアンカバー（２，３）によって付与される圧迫力を抑制することができる。
【００６０】
本発明に係るクリップにより、クリップの嵌入後に、互いに接近させるべき２つの骨片に付与される圧迫力を、例えば、この圧迫力を増大又は低減するというように変化させることができる。また、骨固定に必要な期間に亘って、選択された圧迫力を維持することができる。
【図１】
2014534869.tif 000003
【図２】
2014534869.tif 000004
【図３】
2014534869.tif 000005
【図４】
2014534869.tif 000006
【図５】
2014534869.tif 000007
【図６】
2014534869.tif 000008
【図７】
2014534869.tif 000009
【図８】
2014534869.tif 000010
【図９Ａ】
2014534869.tif 000011
【図９Ｂ】
2014534869.tif 000012
【図１０Ａ】
2014534869.tif 000013
【図１０Ｂ】
2014534869.tif 000014
【国際調査報告】
2014534869.tif 000015
2014534869.tif 000016
2014534869.tif 000017
2014534869.tif 000018
2014534869.tif 000019
2014534869.tif 000020